(57)【特許請求の範囲】
【請求項１】
第１ないし第３のポートを有し、前記第１のポートから入力された光信号を第２のポートに出力し、前記第２のポートから入力された光信号を前記第３のポートに出力し、前記第３のポートから入力された光信号を前記第１のポートに出力する非相反デバイスと、
前記非相反デバイスの前記第２のポートに接続され、前記非相反デバイスの第２のポートから入力された光信号に所定の処理を与え、前記非相反デバイスの第２のポートに所定の処理を与えた光信号を出力する光デバイスと、
前記第１のポートから出力される光信号のモニタ値が第１の閾値以上であり、かつ、前記第３のポートから出力される光信号のモニタ値が第２の閾値未満である場合に、前記光デバイスに異常が発生したと判定し、前記第１のポートから出力される光信号のモニタ値が第１の閾値未満であり、かつ、前記第３のポートから出力される光信号のモニタ値が第２の閾値未満である場合に、ポートに異常が発生したと判定する異常検出部と
を有することを特徴とする光伝送装置。
【請求項２】
前記第１のポートから出力される光信号は、前記第３のポート側から入力され、かつ、前記光デバイスに所定の処理を与えられていない光信号であり、前記第３のポートから出力される光信号は、前記第１のポート側から入力され、かつ、前記光デバイスに所定の処理を与えられた光信号であることを特徴とする請求項１に記載の光伝送装置。
【請求項３】
外部の装置から光信号を取得し、取得した光信号を前記第１のポートまたは前記第３のポートに出力している間に、前記第１のポートと前記第３の接続ポートのうち、光信号が出力されていないポートに光信号を出力する光信号出力部を更に有することを特徴とする請求項１に記載の光伝送装置。
【請求項４】
前記光信号出力部は、前記外部の装置から光信号を取得していない間に、前記第１のポートおよび前記第３のポートに光信号を出力することを特徴とする請求項３に記載の光伝送装置。
【請求項５】
外部の装置から光信号を取得し、取得した光信号を前記第１のポートまたは前記第３のポートに出力し、前記光信号出力部から出力される光信号の出力先を前記第１のポートおよび／または前記第３のポートに切り替える切替部を更に有することを特徴とする請求項３に記載の光伝送装置。
【請求項６】
外部の装置から光信号を取得したか否かに基づいて、前記第１のポートまたは前記第２のポートから出力する光信号を増幅する増幅部から光信号を発光させ、当該光信号を前記第１のポートおよび前記第３のポートに入力する制御部を更に有することを特徴とする請求項１に記載の光伝送装置。
【発明の詳細な説明】
【技術分野】
【０００１】
本発明は、光信号を伝送する光伝送装置に関する。
【背景技術】
【０００２】
現在、波長の異なる複数の光信号を一つの伝送路に入力することで伝送容量を増大させる、波長多重方式（ＷＤＭ方式：Wavelength  Division  Multiplexing）が普及している。この波長多重方式では、１波長当たりの光出力パワーが数ｄＢｍと低い場合でも、光信号が多重化された後の光出力パワーは、＋２０ｄＢｍ程度の非常に高い出力となり、その安全対策が必須となる。
【０００３】
例えば、光通信システムにおいて利用される光増幅装置は、伝送路で発生する分散特性を補償する分散補償ユニットを有している。そして、上述した安全対策の観点から、光増幅装置は、分散補償ユニットの接続異常の検出などを行っている。
【０００４】
図１５は、従来の光通信システムの構成を示す図である。図１５に示すように、この光通信システムは、光増幅装置１０，２０を有する。光増幅装置１０と光増幅装置２０は、伝送路１を介して接続している。光増幅装置１０により増幅された光信号が、伝送路１を介して光増幅装置２０に入力する。光増幅装置１０と光増幅装置２０の構成は同じであるため、以下では、光増幅装置２０の構成について説明する。
【０００５】
光増幅装置２０は、ＣＰＬ（カプラ）２１，２２、ＶＯＡ（可変減衰器）２３、ＰＤ（フォトダイオード）２４，２５、分散補償デバイス２６、光増幅モジュール２７を有する。このうち、ＣＰＬ２１，２２は、光信号を分割する装置である。
【０００６】
ＣＰＬ２１は、光増幅装置１０から出力された光信号を分割し、分割した光信号のうち、一方の光信号をＰＤ２４に出力し、もう一方の光信号をＶＯＡ２３に出力する。ＣＰＬ２２はＶＯＡ２３から出力された光信号を分割し、分割した光信号のうち、一方の光信号をＰＤ２５に出力し、もう一方の光信号を分散補償デバイス２６に出力する。
【０００７】
ＶＯＡ２３は、光信号を減衰させる装置である。ＶＯＡ２３は、ＣＰＬ２１から光信号を取得し、取得した光信号を減衰させた後に、減衰させた光信号をＣＰＬ２２に出力する。
【０００８】
ＰＤ２４は、ＣＰＬ２１から光信号を取得し、取得した光信号を電気信号に変換する装置である。ＰＤ２４は、電気信号をモニタに出力する。ＰＤ２５は、ＣＰＬ２２から光信号を取得し、取得した光信号を電気信号に変換する装置である。ＰＤ２５は、電気信号をモニタに出力する。
【０００９】
分散補償デバイス２６は、ＣＰＬ２２から光信号を取得した場合に、波長ごとに適切な遅延を与えることで、光信号に存在する分散を補償する装置である。分散補償デバイス２６は、To_DCFポートと、From_DCFポートに接続する。
【００１０】
分散補償デバイス２６は、To_DCFポートを介して、ＣＰＬ２２から出力される光信号を取得し、分散補償を行う。そして、分散補償デバイス２６は、From_DCFポートを介して、分散補償を行った光信号を光増幅モジュール２７に出力する。
【００１１】
ここで、光通信システムの簡略化・オペレーションの簡易化・分散補償器メニューを削除することを鑑みると、分散補償デバイス２６として、サーキュレータ等の方向性デバイスを有する分散補償デバイスを用いることが有効である。方向性デバイスを有する分散補償デバイスは、例えば、可変分散補償器である。
【００１２】
光増幅モジュール２７は、分散補償デバイス２６から光信号を取得し、取得した光信号を増幅し、増幅した光信号を出力する装置である。また、光増幅モジュール２７は、内部にＰＤを有する。光増幅モジュール２７は、内部のＰＤにより光信号を電気信号に変換し、変換した電気信号をモニタに出力する。
【００１３】
ここで、光増幅装置２０が分散補償デバイス２６の異常検出を行う場合には、ＰＤ２５から出力される電気信号と、光増幅モジュールの内部に設けられたＰＤから出力される電気信号の差分を検出する。そして、検出した差分と、規定値を比較することで、分散補償デバイス２６の接続に異常があるか否かを検出する。
【００１４】
例えば、光増幅装置２０が接続の異常を検出した場合には、光増幅モジュール２７を強制的にシャットダウンすることで、光増幅モジュールから異常な光信号が出力されてしまうことを防止する。
【先行技術文献】
【特許文献】
【００１５】
【特許文献１】特開２００３−１４３０８０号公報
【発明の概要】
【発明が解決しようとする課題】
【００１６】
しかしながら、上述した従来の技術では、光増幅装置が、方向性デバイスを有する分散補償デバイスを用いた場合に、かかる分散補償器に関する異常を正確に検出することができないという問題があった。図１６、図１７は、従来技術の問題点を説明するための図である。
【００１７】
まず、図１６を用いて従来技術の問題点を説明する。図１６に示す分散補償器２６は、サーキュレータ２６ａと、分散補償を実行するデバイス２６ｂを有する。分散補償器２６のポート（１）に入力した光信号は、サーキュレータ２６ａを介して、デバイス２６ｂに入力する。そして、デバイス２６ｂから出力した光信号は、サーキュレータ２６ａを介して、ポート（２）から出力する。
【００１８】
従来の異常検出方法では、デバイス２６ｂに異常が発生した場合と、To_DCFポートまたはFrom_DCFポートにポート抜け等の異常が発生した場合の両状態において、「ＰＤ２５のモニタ値が正常」、「光増幅器モジュール２７のモニタ値が異常」となるため、各状態を区別することができない。
【００１９】
続いて、図１７を用いて従来技術の問題点を説明する。図１７に示す分散補償器２６を図１６と異なり、To_DCFポートとFrom_DCFポートを逆に接続している。この接続では、ポート（２）から入力した光信号は、デバイス２６ｂを経由することなく、ポート（１）から出力する。
【００２０】
このように、To_DCFポートとFrom_DCFポートを逆に接続している場合には、光信号がデバイス２６ｂを経由しないため、期待した分散特性が得られず、本来異常と判定すべきである。しかし、図１７に示すように、光信号がデバイス２６ｂを経由しない場合には、光損失が小さいため、ＰＤ２５のモニタ値と光増幅モジュールのモニタ値のみでは、異常状態として判定することが出来ない。
【００２１】
開示の技術は、上記に鑑みてなされたものであって、光デバイスに関する異常を正確に検出することが出来る光伝送装置を提供することを目的とする。
【課題を解決するための手段】
【００２２】
この光伝送装置は、第１ないし第３のポートを有し、前記第１のポートから入力された光を前記第２のポートに出力し、前記第２のポートから入力された光を前記第３のポートに出力し、前記第３のポートから入力された光を前記第１のポートに出力する非相反デバイスと、前記非相反デバイスの前記第２のポートに接続され、前記非相反デバイスの第２のポートから入力された光に所定の処理を与え、前記非相反デバイスの第２のポートに所定の処理を与えた光を出力する光デバイスと、前記第１のポートから出力される光と、前記第３のポートから出力される光に基づいて、ポートの接続異常と前記光デバイスの異常を検出する異常検出部とを有することを要件とする。
【発明の効果】
【００２３】
この光伝送装置によれば、光デバイスの異常を正確に判定することが出来る。例えば、サーキュレータ等の方向性を持つ分散補償デバイス等の接続異常、デバイス故障、接続ミスを切り分けて判定することが出来る。
【図面の簡単な説明】
【００２４】
【図１】図１は、本実施例１にかかる光通信システムの構成を示す図である。
【図２】図２は、本実施例１にかかる分散補償デバイスが誤接続された場合を説明するための図である。
【図３】図３は、本実施例１のTo_DCFポートおよびFrom_DCFポートの各状態における光スペクトルを示す図である。
【図４】図４は、本実施例１にかかる光増幅装置の処理手順を示すフローチャートである。
【図５】図５は、本実施例２にかかる光通信システムの構成を示す図である。
【図６】図６は、本実施例２にかかる分散補償デバイスが誤接続された場合を説明するための図である。
【図７】図７は、本実施例２のTo_DCFポートおよびFrom_DCFポートの各状態における光スペクトルを示す図（１）である。
【図８】図８は、本実施例２のTo_DCFポートおよびFrom_DCFポートの各状態における光スペクトルを示す図（２）である。
【図９】図９は、本実施例３にかかる光通信システムの構成を示す図である。
【図１０】図１０は、本実施例３にかかる光増幅装置の処理手順を示すフローチャートである。
【図１１】図１１は、本実施例４にかかる光通信システムの構成を示す図である。
【図１２】図１２は、本実施例４にかかる光増幅装置の処理手順を示すフローチャートである。
【図１３】図１３は、本実施例５にかかる光通信システムの構成を示す図である。
【図１４】図１４は、本実施例５にかかる光増幅装置の処理手順を示すフローチャートである。
【図１５】図１５は、従来の光通信システムの構成を示す図である。
【図１６】図１６は、従来技術の問題点を説明するための図（１）である。
【図１７】図１７は、従来技術の問題点を説明するための図（２）である。
【発明を実施するための形態】
【００２５】
以下に、本願の開示する光伝送装置の実施例を図面に基づいて詳細に説明する。なお、この実施例によりこの発明が限定されるものではない。
【実施例１】
【００２６】
図１は、本実施例１にかかる光通信システムの構成を示す図である。図１に示すように、この光通信システムは、光増幅装置１００ａ，１００ｂを有する。光増幅装置１００ａと光増幅装置１００ｂは、伝送路１を介して接続している。光増幅装置１００ａと光増幅装置１００ｂの構成は同じであるため、以下では、光増幅装置１００ｂの構成について説明する。
【００２７】
光増幅装置１００ｂは、ＣＰＬ（カプラ）１０１〜１０５、ＶＯＡ（可変減衰器）１０６、ＰＤ（フォトダイオード）１０７〜１０９、分散補償デバイス１１０、光増幅モジュール１１１、異常判定部１１２を有する。
【００２８】
ＣＰＬ１０１は、光増幅装置１００ａから出力された光信号を分割し、分割した光信号のうち、一方の光信号をＰＤ１０７に出力し、もう一方の光信号をＶＯＡ１０６に出力する。ＣＰＬ１０２はＶＯＡ１０６から出力された光信号を分割し、分割した光信号のうち、一方の光信号をＰＤ１０８に出力し、もう一方の光信号をＣＰＬ１０３に出力する。
【００２９】
ＣＰＬ１０３は、ＣＰＬ１０２からの光信号をＣＰＬ１０４に出力する。また、ＣＰＬ１０３は、ＣＰＬ１０４からの光信号をＣＰＬ１０５に出力する。ＣＰＬ１０４は、ＣＰＬ１０３からの光信号を、To_DCFポート（分散補償デバイス１１０）に出力する。また、ＣＰＬ１０４は、To_DCFポート（分散補償デバイス１１０）からの光信号を、ＣＰＬ１０３に出力する。
【００３０】
ＣＰＬ１０５は、Form_DCFポート（分散補償デバイス１１０）からの光信号を、光増幅モジュール１１１に出力する。また、ＣＰＬ１０５は、ＣＰＬ１０３からの光信号を、Form_DCFポート（分散補償デバイス１１０）に出力する。
【００３１】
ＶＯＡ１０６は、光信号を減衰させる装置である。ＶＯＡ１０６は、ＣＰＬ１０１から光信号を取得し、取得した光信号を減衰させた後に、減衰させた光信号をＣＰＬ１０２に出力する。また、ＶＯＡ１０６は、分散補償デバイス１１０等に対する異常が発生した場合に、減衰量を増加することで、分散補償デバイス１１０に高出力の光信号が入力されることを防止する。
【００３２】
ＰＤ１０７は、ＣＰＬ１０１から光信号を取得し、取得した光信号を電気信号に変換する装置である。ＰＤ１０７は、電気信号をモニタに出力する。ＰＤ１０８は、ＣＰＬ１０２から光信号を取得し、取得した光信号を電気信号に変換する装置である。ＰＤ１０８は、電気信号をモニタに出力する。ＰＤ１０９は、ＣＰＬ１０４から光信号を取得し、取得した光信号を電気信号に変換する装置である。ＰＤ１０９は、電気信号を異常判定部１１２に出力する。
【００３３】
分散補償デバイス１１０は、ＣＰＬ１０４から光信号を取得した場合に、波長ごとに適切な遅延を与えることで、光信号に存在する分散を補償する装置である。分散補償デバイス１１０は、サーキュレータ１１０ａと分散補償を実行するデバイス１１０ｂを有する。
【００３４】
分散補償デバイス１１０は、To_DCFポートと、From_DCFポートに接続する。分散補償デバイス１１０のポート（１）とTo_DCFポートを接続し、分散補償デバイス１１０のポート（２）とFrom_DCFポートを接続する方式が、正常な接続である。
【００３５】
分散補償デバイス１１０のポート（１）に入力した光信号は、サーキュレータ１１０ａを介して、デバイス１１０ｂに入力する。そして、デバイス１１０ｂにより分散補償された光信号は、サーキュレータ１１０ａを介して、ポート（２）から出力する。一方、分散補償デバイス１１０のポート（２）に入力した光信号は、デバイス１１０ｂを経由することなく、ポート（１）から出力する。
【００３６】
光増幅モジュール１１１は、ＣＰＬ１０５から光信号を取得し、取得した光信号を増幅し、増幅した光信号を出力する装置である。また、光増幅モジュール１１１は、内部にＰＤを有する。光増幅モジュール１１１は、内部のＰＤにより光信号を電気信号に変換し、変換した電気信号を異常判定部１１２に出力する。
【００３７】
異常判定部１１２は、分散補償デバイス１１０に関する異常を判定する処理部である。異常判定部１１２は、第１の規定値と第２の規定値を有し、ＰＤ１０９から取得する電気信号の値と第１の規定値、光増幅モジュール１１１のＰＤから取得する電気信号の値と第２の規定値をそれぞれ比較し、比較結果に基づいて異常を判定する。
【００３８】
以下の説明において、ＰＤ１０９から取得する電気信号の値を第１のモニタ値、光増幅モジュール１１１のＰＤから取得する電気信号の値を第２のモニタ値と表記する。また、第１の閾値は、分散補償デバイス１１０のデバイス１１０ｂを介さず、ポート（２）からポート（１）を通過する光信号のロスを反映して設定される値である。第２の閾値は、デバイス１１０ｂを介して、ポート（１）からポート（２）を通過する光信号のロスを反映して設定される値である。
【００３９】
異常判定部１１２は、第１のモニタ値が第１の規定値以上となり、かつ、第２のモニタ値が第２の閾値以上となる場合には、分散補償デバイス１１０は正常状態であると判定し、判定結果をモニタ等に出力する。
【００４０】
異常判定部１１２は、第１のモニタ値が第１の閾値以上（第１のモニタ値が正常値）となり、かつ、第２のモニタ値が第２の閾値未満（第２のモニタ値が異常値）となる場合には、デバイス１１０ｂが故障したと判定し、判定結果をモニタ等に出力する。第１のモニタ値が第１の規定値以上の場合は、ポート接続異常は存在せず、正常に接続されている。そして、ポート接続異常が存在しないにも関わらず、第２のモニタ値が第２の閾値未満の場合には、デバイス１１０ｂに何らかの異常が発生し、第２のモニタ値にロスが発生したものと判定する。
【００４１】
異常判定部１１２は、第１のモニタ値が第１の規定値未満（第１のモニタ値が異常値）となり、かつ、第２のモニタ値が第２の規定値未満（第２のモニタ値が異常値）の場合には、To_DCFポートまたはFrom_DCFポートにポート接続異常が発生したと判定し、判定結果をモニタ等に出力する。ポート接続異常の発生時は、ＣＰＬ１０４から分散補償デバイス１１０に入力する信号光の経路と、ＣＰＬ１０５から分散補デバイス１１０に入力する信号光の経路が共に断状態となる。したがって、第１，２のモニタ値は無入力レベルとなる。
【００４２】
続いて、本実施例１にかかる分散補償デバイス１１０が誤接続された場合について説明する。図２は、本実施例１にかかる分散補償デバイスが誤接続された場合を説明するための図である。図２に示す分散補償デバイス１１０は、To_DCFポートとポート（２）を接続し、From_DCFポートとポート（１）を接続している。
【００４３】
図２のように分散補償デバイス１１０が誤接続されると、本来分散補償されるべきTo_DCFポートからの光信号が、分散補償デバイス１１０に入力されても、デバイス１１０ｂを経由せずに出力されてしまう。そのため、分散補償されていない光信号が出力され、光増幅モジュール１１１に入力してしまう。この場合、光増幅モジュール１１１に入力する光信号には、デバイスロスが発生しないので、第２のモニタ値は、第２の規定値以上となる。
【００４４】
一方、本来分散補償を行わないFrom_DCFポートからの光信号が、分散補償デバイス１１０に入力されると、デバイス１１０ｂを経由して出力されてしまう。この場合、ＰＤ１０９に入力される光信号には、想定外のデバイスロスが発生するので、第１のモニタ値は、第１の規定値未満となる。
【００４５】
すなわち、異常判定部１１２は、第１のモニタ値が第１の規定値未満となり、かつ、第２のモニタ値が第２の規定値以上となる場合には、分散補償値が誤接続状態であると判定し、判定結果をモニタ等に出力する。
【００４６】
異常判定部１１２は、デバイス１１０ｂの故障、ポート接続異常、誤接続の何れかを検出した場合には、ＶＯＡ１０６を制御して、ＶＯＡ１０６のロスを増加させる。ＶＯＡ１０６のロスを増加させることで、To_DCFポートから高出力の光信号が分散補償デバイス１１０に出力されることを防止する。また、異常判定部１１２は、異常状態であると判定した場合に、かかる異常を通知するべく、アラームなどを出力しても良い。
【００４７】
図３は、本実施例１のTo_DCFポートおよびFrom_DCFポートの各状態における光スペクトルを示す図である。なお、デバイス１１０ｂのロス特性として、図３の左側に示すように、平坦なロス特性を持つ場合と、図３の右側に示すように、周期的なロス特性を持つ場合に分けて図示する。
【００４８】
図３に示すように、デバイス１１０ｂが平坦ロス特性の場合、周期的なロス特性の場合において、それぞれ下記の様に、ＰＤ１０９のモニタ値（信号光とＡＳＥ光（自然放出光）の積分値）に違いがある。周期的なロス特性には、例えば、櫛形ロス特性が含まれる。図１に示した光増幅装置１００ｂは、平坦ロス特性を持つデバイスだけでなく、周期的なロス特性を有するデバイスを分散補償デバイス１１０に適用して場合でも、正確に異常検出を実行することが出来る。
【００４９】
正常時には、光信号とＡＳＥ光は、サーキュレータ１１０ａのロスのみ反映され、本デバイスのロスが小さい為、From_DCFポートのスペクトルとほぼ同じとなる。なお、減衰量は、０．ｘｄＢ程度と非常に低い値である。図３の実線参照。
【００５０】
デバイス異常時には、正常時と同値がＰＤ１０９にてモニタされる。ただし、光増幅モジュール１１１の入力が異常となるため、本状態の判定が可能となる。図３の実線参照。
【００５１】
ポート接続異常時には、ポート抜けが発生しているため、To_DCFポートにおける分散補償デバイス１１０からの光信号のレベルは、無入力レベルとなる。
【００５２】
ポート逆接続時には、光信号とＡＳＥ光は、デバイスロス特性を反映し、レベルが低下する。このデバイスロスがサーキュレータ１１０ａのロスと比較して非常に大きいため、ＰＤ１０９で検出されるモニタ値は、通常状態・デバイス異常状態とポート逆接続状態で判定可能である。図３の破線参照。
【００５３】
次に、本実施例１にかかる光増幅装置１００ｂの処理手順について説明する。図４は、本実施例１にかかる増幅装置１００ｂの処理手順を示すフローチャートである。図４に示すように、光増幅装置１００ｂは、異常判定部１１２が、光増幅モジュール１１１から第２のモニタ値を検出し（ステップＳ１０１）、第２のモニタ値が第２の規定値以上か否かを判定する（ステップＳ１０２）。
【００５４】
異常判定部１１２は、第２のモニタ値が第２の規定値以上の場合に（ステップＳ１０３，Ｙｅｓ）、第１のモニタ値をＰＤ１０９から検出する（ステップＳ１０４）。異常判定部１１２は、第１のモニタ値が第１の規定値以上か否かを判定する（ステップＳ１０５）。
【００５５】
異常判定部１１２は、第１のモニタ値が第１の規定値以上の場合に（ステップＳ１０６，Ｙｅｓ）、正常状態であると判定する（ステップＳ１０７）。異常判定部１１２は、第１のモニタ値が第１の規定値未満の場合に（ステップＳ１０６，Ｎｏ）、ポートが誤接続状態であると判定する（ステップＳ１０８）。
【００５６】
ところで、ステップＳ１０３において、第２のモニタ値が第２の閾値未満の場合に（ステップＳ１０３，Ｎｏ）、第１のモニタ値をＰＤ１０９から検出する（ステップＳ１０９）。異常判定部１１２は、第１のモニタ値が第１の規定値以上か否かを判定する（ステップＳ１１０）。
【００５７】
異常判定部１１２は、第１のモニタ値が第１の規定値以上の場合に（ステップＳ１１１，Ｙｅｓ）、デバイス異常であると判定する（ステップＳ１１２）。異常判定部１１２は、第１のモニタ値が第１の規定値未満の場合に（ステップＳ１１１，Ｎｏ）、ポート抜け状態であると判定する（ステップＳ１１３）。
【００５８】
上述してきたように、本実施例１にかかる光増幅装置１００ｂは、異常判定部１１２が、ＰＤ１０９から第１のモニタ値を取得し、光増幅モジュール１１１から第２のモニタ値を取得する。そして、異常判定部１１２が、第１のモニタ値と第１の規定値を比較すると共に、第２のモニタ値と第２の規定値を比較し、それぞれの比較結果に基づいて異常判定を実行するので、分散補償デバイスの異常を正確に判定することが出来る。例えば、サーキュレータ１１０ａ等の方向性を持つ分散補償デバイスの接続異常、デバイス故障、接続ミスを切り分けて判定することが出来る。
【００５９】
また、光増幅装置１００ｂを立ち上げた場合に、異常判定部１１２が異常判定を実行して判定結果をモニタに出力することで、オペレーションミスによる異常接続状態を早急に検出し、異常状態での装置立上げを回避可能となる。
【００６０】
また、本実施例１にかかる光増幅装置１００ｂは、図３で説明したように、デバイス１１０ｂのロス特性に関係なく、異常状態を判定することが出来る。
【００６１】
なお、本実施例１では、第２のモニタ値を検出する場合に、光増幅モジュール１１１が有するＰＤを使用していたが、これに限定されるものではない。例えば、かかる第２のモニタ値２を検出するＰＤを、分散補償デバイス１１０の後段に別途設けても良い。
【００６２】
また、ＣＰＬ１０３の代わりに光ＳＷを配置し、光増幅装置１００ａから入力する主信号光と分散補償デバイス１１０から出力される逆方向の光信号とが干渉しないように、各信号光を切り替えても良い。
【実施例２】
【００６３】
次に、本実施例２にかかる光通信システムの構成について説明する。図５は、本実施例２にかかる光通信システムの構成を示す図である。図５に示すように、この光通信システムは、光増幅装置２００ａと光増幅装置２００ｂを有する。光増幅装置２００ａと光増幅装置２００ｂの構成は同じであるため、以下では、光増幅装置２００ｂの構成について説明する。
【００６４】
光増幅装置２００ｂは、ＣＰＬ２０１〜２０４、ＶＯＡ２０５、ＰＤ２０６〜２０８、分散補償デバイス２０９、光増幅モジュール２１０、ＬＤ（レーザーダイオード）２１１、異常判定部２１２を有する。
【００６５】
ＣＰＬ２０１は、光増幅装置２００ａから出力された光信号を分割し、分割した光信号のうち、一方の光信号をＰＤ２０６に出力し、もう一方の光信号をＶＯＡ２０５に出力する。ＣＰＬ２０２は、ＶＯＡ２０５から出力された光信号を分割し、分割した光信号のうち、一方の光信号をＰＤ２０７に出力し、もう一方の光信号をＣＰＬ２０３に出力する。
【００６６】
ＣＰＬ２０３は、ＣＰＬ２０２から出力された光信号を、分散補償デバイス２０９に出力する。また、ＣＰＬ２０３は、分散補償デバイス２０９から出力された光信号をＰＤ２０８に出力する。
【００６７】
ＣＰＬ２０４は、分散補償デバイス２０９から出力された光信号を、光増幅モジュール２１０に出力する。また、ＣＰＬ２０４は、ＬＤ２１１から出力された光信号を、分散補償デバイス２０９に出力する。
【００６８】
ＶＯＡ２０５は、光信号を減衰させる装置である。ＶＯＡ２０５は、ＣＰＬ２０１から光信号を取得し、取得した光信号を減衰させた後に、減衰させた光信号をＣＰＬ２０２に出力する。また、ＶＯＡ２０５は、分散補償デバイス２０９等に対する異常が発生した場合に、減衰量を増加することで、分散補償デバイス２０９に高出力の光信号が入力されることを防止する。
【００６９】
ＰＤ２０６は、ＣＰＬ２０１から光信号を取得し、取得した光信号を電気信号に変換する装置である。ＰＤ２０６は、電気信号をモニタに出力する。ＰＤ２０７は、ＣＰＬ２０２から光信号を取得し、取得した光信号を電気信号に変換する装置である。ＰＤ２０７は、電気信号をモニタに出力する。
【００７０】
ＰＤ２０８は、ＣＰＬ２０３から光信号を取得し、取得した光信号を電気信号に変換する装置である。ＰＤ２０８は、電気信号を異常判定部２１２に出力する。
【００７１】
分散補償デバイス２０９は、ＣＰＬ２０３から光信号を取得した場合に、波長ごとに適切な遅延を与えることで、光信号に存在する分散を補償する装置である。分散補償デバイス２０９は、サーキュレータ２０９ａと分散補償を実行するデバイス２０９ｂを有する。
【００７２】
分散補償デバイス２０９は、To_DCFポートと、From_DCFポートに接続する。分散補償デバイス２０９のポート（１）とTo_DCFポートを接続し、分散補償デバイス２０９のポート（２）とFrom_DCFポートを接続する方式が、正常な接続である。
【００７３】
分散補償デバイス２０９のポート（１）に入力した光信号は、サーキュレータ２０９ａを介して、デバイス２０９ｂに入力する。そして、デバイス２０９ｂにより分散補償された光信号は、サーキュレータ２０９ａを介して、ポート（２）から出力する。一方、分散補償デバイス２０９のポート（２）に入力した光信号は、デバイス２０９ｂを経由することなく、ポート（１）から出力する。
【００７４】
光増幅モジュール２１０は、ＣＰＬ２０４から光信号を取得し、取得した光信号を増幅し、増幅した光信号を出力する装置である。また、光増幅モジュール２１０は、内部にＰＤを有する。光増幅モジュール２１０は、内部のＰＤにより光信号を電気信号に変換し、変換した電気信号を異常判定部２１２に出力する。
【００７５】
ＬＤ２１１は、ＣＰＬ２０４を介して、分散補償デバイス２０９に光信号（ＬＤ光）を出力する装置である。ＬＤ２１１は、異常検出を実行する期間内に光信号をＣＰＬ２０４に出力することで、消費電力を低減させてもよい。
【００７６】
異常判定部２１２は、分散補償デバイス２０９に関する異常を判定する処理部である。異常判定部２１２は、第１の規定値と第２の規定値を有し、ＰＤ２０８から取得する電気信号の値と第１の規定値、光増幅モジュール２１０のＰＤから取得する電気信号の値と第２の規定値をそれぞれ比較し、比較結果に基づいて異常を判定する。
【００７７】
以下の説明において、ＰＤ２０８から取得する電気信号の値を第１のモニタ値、光増幅モジュール２１０のＰＤから取得する電気信号の値を第２のモニタ値と表記する。また、第１の閾値は、分散補償デバイス２０９のデバイス２０９ｂを介さず、ポート（２）からポート（１）を通過する光信号のロスを反映して設定される値である。第２の閾値は、デバイス２０９ｂを介して、ポート（１）からポート（２）を通過する光信号のロスを反映して設定される値である。
【００７８】
異常判定部２１２は、第１のモニタ値が第１の規定値以上（第１のモニタ値が正常値）となり、かつ、第２のモニタ値が第２の閾値以上（第２のモニタ値が正常値）となる場合には、分散補償デバイス１１０は正常状態であると判定し、判定結果をモニタ等に出力する。
【００７９】
異常判定部２１２は、第１のモニタ値が第１の閾値以上（第１のモニタ値が正常値）となり、かつ、第２のモニタ値が第２の閾値未満（第２のモニタ値が異常値）となる場合には、デバイス２０９ｂが故障したと判定し、判定結果をモニタ等に出力する。第１のモニタ値が第１の規定値以上の場合は、ポート接続異常は存在せず、正常に接続されている。そして、ポート接続異常が存在しないにも関わらず、第２のモニタ値が第２の閾値未満の場合には、デバイス２０９ｂに何らかの異常が発生し、第２のモニタ値にロスが発生したものと判定する。
【００８０】
異常判定部２１２は、第１のモニタ値が第１の規定値未満（第１のモニタ値が異常値）となり、かつ、第２のモニタ値が第２の規定値未満（第２のモニタ値が異常値）の場合には、To_DCFポートまたはFrom_DCFポートにポート接続異常が発生したと判定し、判定結果をモニタ等に出力する。ポート接続異常の発生時は、ＣＰＬ２０３から分散補償デバイス２０９に入力する信号光の経路と、ＣＰＬ２０４から分散補デバイス２０９に入力する信号光の経路が共に断状態となる。したがって、第１，２のモニタ値は無入力レベルとなる。
【００８１】
続いて、本実施例２にかかる分散補償デバイス２０９が誤接続された場合について説明する。図６は、本実施例２にかかる分散補償デバイスが誤接続された場合を説明するための図である。図６に示す分散補償デバイス２０９は、To_DCFポートとポート（２）を接続し、From_DCFポートとポート（１）を接続している。
【００８２】
図６のように分散補償デバイス２０９が誤接続されると、本来分散補償されるべきTo_DCFポートからの光信号が、分散補償デバイス２０９に入力されても、デバイス２０９ｂを経由せずに出力されてしまう。そのため、分散補償されていない光信号が出力され、光増幅モジュール２１０に入力してしまう。この場合、光増幅モジュール２１０に入力する光信号には、デバイスロスが発生しないので、第２のモニタ値は第２の規定値以上となる。
【００８３】
一方、本来分散補償を行わないFrom_DCFポートからの光信号が、分散補償デバイス２０９に入力されると、デバイス２０９ｂを経由して出力されてしまう。この場合、ＰＤ２０８に入力される光信号には、想定外のデバイスロスが発生するので、第１のモニタ値は、第１の規定値未満となる。
【００８４】
すなわち、異常判定部２１２は、第１のモニタ値が第１の規定値未満（第１のモニタ値が異常値）となり、かつ、第２のモニタ値が第２の規定値以上（第２のモニタ値が正常値）となる場合には、分散補償値が誤接続状態であると判定し、判定結果をモニタ等に出力する。
【００８５】
異常検出部２１２は、デバイス２０９ｂの故障、ポート接続異常、誤接続の何れかを検出した場合に、ＶＯＡ２０５を制御して、ＶＯＡ２０５のロスを増加させる。ＶＯＡ２０５のロスを増加させることで、To_DCFポートから高出力の光信号が分散補償デバイス２０９に出力されることを防止する。
【００８６】
図７および図８は、本実施例２のTo_DCFポートおよびFrom_DCFポートの各状態における光スペクトルを示す図である。図７は、デバイスのロス特性として平坦なロス特性を示し、図８は、デバイスのロス特性として周期的なロス特性を示している。
【００８７】
まず、図７を用いて、デバイスが平坦なロス特性を有する場合のモニタ値について説明する。正常時において、ＬＤ２１１から出力する光信号（ＬＤ光）は、サーキュレータ２０９ａのロスのみ反映され、本デバイスのロスが小さい為、From_DCFポートのスペクトルとほぼ同じとなる。なお、減衰量は、０．ｘｄＢ程度と非常に低い値である。図７の破線参照。
【００８８】
デバイス異常時には、正常時と同値がＰＤ２０８にてモニタされる。ただし、光増幅モジュール２１０の入力が異常となるため、本状態の判定が可能となる。図７の破線参照。
【００８９】
ポート接続異常時には、ポート抜けが発生しているため、To_DCFポートでのＬＤ光は、無入力レベルとなる。
【００９０】
ポート逆接続時には、ＬＤ光は、デバイスのロス特性を反映し、レベルが低下する。このデバイスロスがサーキュレータ２０９ａのロスと比較して非常に大きいため、ＰＤ２０８で検出されるモニタ値は、通常状態・デバイス異常状態とポート逆接続状態で判定可能である。図７の破線参照。
【００９１】
続いて、図８を用いて、デバイスが周期的なロス特定を有する場合のモニタ値について説明する。図８において、デバイスが周期的なロス特性を有するため、ＬＤ光を透過信号帯域内と透過信号外に分けて図示する。図８の左側は、ＬＤ光が透過信号帯域内の場合のモニタ値を示し、図８の右側は、ＬＤ光が透過信号帯域外の場合のモニタ値を示す。
【００９２】
ポート逆接続時において、周期的なロス特性の信号透過帯域のＬＤ光を選択した場合、ＰＤ２０８でモニタされるＬＤ光は、デバイスロスを判定してレベルが透過する。図８の左図の一点鎖線参照。
【００９３】
また、周期的なロス特性の信号透過帯域外のＬＤ光を選択した場合、ＬＤ光はデバイスにより大きく減衰され、ＰＤ２０８では、無入力レベル付近のモニタ値が検出される。この信号透過帯域内、外の両状態において、サーキュレータ２０９ａのロスと比較してロス大の為、ＰＤ２０８で検出されるモニタ値は、通常状態・デバイス異常状態とポート接続状態で判定可能である。
【００９４】
本実施例２にかかる光増幅装置２００ｂは、実施例１に示した光増幅装置と同様に、平坦なロス特性を持つデバイスだけでなく、周期的なロス特性を有するデバイスを適用した場合でも、異常検出を正確に実行することが出来る。また、ＬＤ２１１から出力するＬＤ光は、信号帯域内でも信号帯域外であっても、正確に異常検出を実行することが出来る。例えば、サーキュレータ１１０ａ等の方向性を持つ分散補償デバイスの接続異常、デバイス故障、接続ミスを切り分けて判定することが出来る。
【実施例３】
【００９５】
次に、本実施例３にかかる光通信システムの構成について説明する。図９は、本実施例３にかかる光通信システムの構成を示す図である。図９に示すように、この光通信システムは、光増幅装置３００ａと光増幅装置３００ｂを有する。光増幅装置３００ａと光増幅装置３００ｂの構成は同じであるため、以下では、光増幅装置３００ｂの構成について説明する。
【００９６】
光増幅装置３００ｂは、ＬＤ３１３からのＬＤ光（光信号）をTo_DCFポート側と、From_DCFポート側から入力し、ＰＤ３１０、光増幅モジュール３１２でＬＤ光のモニタ値を検出することで、光増幅装置３００ａからの主信号が無い状態でも、異常状態の検出を可能とする。
【００９７】
図９に示すように、光増幅装置３００ｂは、ＣＰＬ３０１〜３０６、ＶＯＡ３０７、ＰＤ３０８〜３１０、分散補償デバイス３１１、光増幅モジュール３１２、ＬＤ（レーザーダイオード）３１３、異常判定部３１５を有する。
【００９８】
ＣＰＬ３０１は、光増幅装置３００ａから出力された光信号を分割し、分割した光信号のうち、一方の光信号をＰＤ３０８に出力し、もう一方の光信号をＶＯＡ３０７に出力する。ＣＰＬ３０２は、ＶＯＡ３０７から出力された光信号を分割し、分割した光信号のうち、一方の光信号をＰＤ３０９に出力し、もう一方の光信号をＣＰＬ３０３に出力する。
【００９９】
ＣＰＬ３０３は、ＣＰＬ３０２から出力された光信号またはＣＰＬ３０６から出力された光信号（ＬＤ光）を、ＣＰＬ３０４に出力する。ＣＰＬ３０４は、ＣＰＬ３０３から出力された光信号を分散補償デバイス３１１に出力する。また、ＣＰＬ３０４は、分散補償デバイス３１１から出力された光信号をＰＤ３１０に出力する。
【０１００】
ＣＰＬ３０５は、分散補償デバイス３１１から出力された光信号を、光増幅モジュール３１２に出力する。また、ＣＰＬ３０５は、ＣＰＬ３０６から出力された光信号を、分散補償デバイス３１１に出力する。
【０１０１】
ＣＰＬ３０６は、ＬＤ３１３から出力された光信号（ＬＤ光）を分割し、一方の光信号をＣＰＬ３０３に出力し、もう一方の光信号をＣＰＬ３０５に出力する。
【０１０２】
ＶＯＡ３０７は、光信号を減衰させる装置である。ＶＯＡ３０７は、ＣＰＬ３０１から光信号を取得し、取得した光信号を減衰させた後に、減衰させた光信号をＣＰＬ３０２に出力する。また、ＶＯＡ３０７は、分散補償デバイス３１１等に対する異常が発生した場合に、減衰量を増加することで、分散補償デバイス３１１に高出力の光信号が入力されることを防止する。
【０１０３】
ＰＤ３０８は、ＣＰＬ３０１から光信号を取得し、取得した光信号を電気信号に変換する装置である。ＰＤ３０８は、電気信号をモニタおよびＬＤ制御部３１４に出力する。ＰＤ３０９は、ＣＰＬ３０２から光信号を取得し、取得した光信号を電気信号に変換する装置である。ＰＤ３０９は、電気信号をモニタに出力する。
【０１０４】
ＰＤ３１０は、ＣＰＬ３０４から光信号を取得し、取得した光信号を電気信号に変換する装置である。ＰＤ３１０は、電気信号を異常判定部３１５に出力する。
【０１０５】
分散補償デバイス３１１は、ＣＰＬ３０４から光信号を取得した場合に、波長ごとに適切な遅延を与えることで、光信号に存在する分散を補償する装置である。分散補償デバイス３１１は、サーキュレータ３１１ａと分散補償を実行するデバイス３１１ｂを有する。
【０１０６】
分散補償デバイス３１１は、To_DCFポートと、From_DCFポートに接続する。分散補償デバイス３１１のポート（１）とTo_DCFポートを接続し、分散補償デバイス３１１のポート（２）とFrom_DCFポートを接続する方式が、正常な接続である。
【０１０７】
分散補償デバイス３１１のポート（１）に入力した光信号は、サーキュレータ３１１ａを介して、デバイス３１１ｂに入力する。そして、デバイス３１１ｂにより分散補償された光信号は、サーキュレータ３１１ａを介して、ポート（２）から出力する。一方、分散補償デバイス３１１のポート（２）に入力した光信号は、デバイス３１１ｂを経由することなく、ポート（１）から出力する。
【０１０８】
光増幅モジュール３１２は、ＣＰＬ３０５から光信号を取得し、取得した光信号を増幅し、増幅した光信号を出力する装置である。また、光増幅モジュール３１２は、内部にＰＤを有する。光増幅モジュール３１２は、内部のＰＤにより光信号を電気信号に変換し、変換した電気信号を異常判定部３１５に出力する。
【０１０９】
ＬＤ３１３は、各ＣＰＬを介して、To_DCFポートおよびFrom_DCFポートから分散補償デバイス３１１に光信号（ＬＤ光）を出力する装置である。
【０１１０】
ＬＤ制御部３１４は、ＰＤ３０８から電気信号を取得し、光増幅装置３００ｂへの光信号およびＡＳＥ入力の有無を判定し、判定結果に基づいてＬＤ３１３の出力制御を行う処理部である。
【０１１１】
ＬＤ制御部３１４は、ＰＤ３０８から電気信号を取得した場合に、光信号およびＡＳＥの入力が有ると判定し、ＬＤ３１３をシャットダウンする。一方、ＬＤ制御部３１４は、ＰＤ３０８から電気信号を取得しない場合には、光信号およびＡＳＥの入力が無いと判定し、ＬＤ３１３から光信号（ＬＤ光）を出力させる。
【０１１２】
異常判定部３１５は、分散補償デバイス３１１に関する異常を判定する処理部である。異常判定部３１５は、第１の規定値と第２の規定値を有し、ＰＤ３１０から取得する電気信号の値と第１の規定値、光増幅モジュール３１２のＰＤから取得する電気信号の値と第２の規定値をそれぞれ比較し、比較結果に基づいて異常を判定する。
【０１１３】
以下の説明において、ＰＤ３１０から取得する電気信号の値を第１のモニタ値、光増幅モジュール３１２のＰＤから取得する電気信号の値を第２のモニタ値と表記する。また、第１の閾値は、分散補償デバイス３１１のデバイス３１１ｂを介さず、ポート（２）からポート（１）を通過する光信号のロスを反映して設定される値である。第２の閾値は、デバイス３１１ｂを介して、ポート（１）からポート（２）を通過する光信号のロスを反映して設定される値である。
【０１１４】
異常判定部３１５は、第１のモニタ値が第１の規定値以上（第１のモニタ値が正常値）となり、かつ、第２のモニタ値が第２の閾値以上（第２のモニタ値が正常値）となる場合には、分散補償デバイス３１１は正常状態であると判定し、判定結果をモニタ等に出力する。
【０１１５】
異常判定部３１５は、第１のモニタ値が第１の閾値以上（第１のモニタ値が正常値）となり、かつ、第２のモニタ値が第２の閾値未満（第２のモニタ値が異常値）となる場合には、デバイス３１１ｂが故障したと判定し、判定結果をモニタ等に出力する。第１のモニタ値が第１の規定値以上の場合は、ポート接続異常は存在せず、正常に接続されている。そして、ポート接続異常が存在しないにも関わらず、第２のモニタ値が第２の閾値未満の場合には、デバイス３１１ｂに何らかの異常が発生し、第２のモニタ値にロスが発生したものと判定する。
【０１１６】
異常判定部３１５は、第１のモニタ値が第１の規定値未満（第１のモニタ値が異常値）となり、かつ、第２のモニタ値が第２の規定値未満（第２のモニタ値が異常値）の場合には、To_DCFポートまたはFrom_DCFポートにポート接続異常が発生したと判定し、判定結果をモニタ等に出力する。ポート接続異常の発生時は、ＣＰＬ３０４から分散補償デバイス３１１に入力する信号光の経路と、ＣＰＬ３０５から分散補デバイス３１１に入力する信号光の経路が共に断状態となる。したがって、第１，２のモニタ値は無入力レベルとなる。
【０１１７】
異常判定部３１５は、第１のモニタ値が第１の規定値未満（第１のモニタ値が異常値）となり、かつ、第２のモニタ値が第２の規定値以上（第２のモニタ値が正常値）となる場合には、分散補償値３１１が誤接続状態であると判定し、判定結果をモニタ等に出力する。
【０１１８】
異常判定部３１５は、デバイス３１１ｂの故障、ポート接続異常、誤接続の何れかを検出した場合には、ＶＯＡ３０７を制御して、ＶＯＡ３０７のロスを増加させる。ＶＯＡ３０７のロスを増加させることで、To_DCFポートから高出力の光信号が分散補償デバイス３１１に出力されることを防止する。
【０１１９】
次に、本実施例３にかかる光増幅装置３００ｂの処理手順について説明する。図１０は、本実施例３にかかる光増幅装置３００ｂの処理手順を示すフローチャートである。図１０に示すように、光増幅装置３００ｂは、ＬＤ制御部３１４がＰＤ３０８から電気信号を取得し、光信号が入力されているか否かを判定する（ステップＳ２０１）。
【０１２０】
ＬＤ制御部３１４は、光信号が入力されている場合に（ステップＳ２０２，Ｙｅｓ）、検出用のＬＤ３１３をオフにし（ステップＳ２０３）、正常状態で運用する（ステップＳ２０４）。
【０１２１】
一方、ＬＤ制御部３１４は、光信号が入力されていない場合に（ステップＳ２０２，Ｎｏ）、検出用のＬＤ３１３をオンし（ステップＳ２０５）、異常判定部３１５が、光増幅モジュール３１２から第２のモニタ値を検出する（ステップＳ２０６）。
【０１２２】
異常判定部３１５は、第２のモニタ値が第２の規定値以上か否かを判定する（ステップＳ２０７）。異常判定部３１５は、第２のモニタ値が第２の規定値以上の場合に（ステップＳ２０８，Ｙｅｓ）、ＰＤ３１０から第１のモニタ値を検出し（ステップＳ２０９）、第１のモニタ値が第１の規定値以上か否かを判定する（ステップＳ２１０）。
【０１２３】
異常判定部３１５は、第１のモニタ値が第１の規定値以上の場合に（ステップＳ２１１、Ｙｅｓ）、正常状態であると判定する（ステップＳ２１２）。一方、異常判定部３１５は、第１のモニタ値が第１の規定値未満の場合に（ステップＳ２１１，Ｎｏ）、ポートが誤接続状態であると判定する（ステップＳ２１３）。
【０１２４】
ところで、ステップＳ２０８において、異常判定部３１５は、第２のモニタ値が第２の規定値未満の場合に（ステップＳ２０８，Ｎｏ）、ＰＤ３１０から第１のモニタ値を検出し（ステップＳ２１４）、第１のモニタ値が第１の規定値以上か否かを判定する（ステップＳ２１５）。
【０１２５】
異常判定部３１５は、第１のモニタ値が第１の規定値以上の場合に（ステップＳ２１６，Ｙｅｓ）、デバイス異常であると判定する（ステップＳ２１７）。異常判定部３１５は、第１のモニタ値が第１の規定値未満の場合に（ステップＳ２１６，Ｎｏ）、ポート抜け状態であると判定する（ステップＳ２１８）。
【０１２６】
上述してきたように、本実施例３にかかる光増幅装置３００ｂは、ＬＤ３１３からのＬＤ光（光信号）をTo_DCFポート側と、From_DCFポート側から入力し、ＰＤ３１０、光増幅モジュール３１２でＬＤ光のモニタ値を検出することで、光増幅装置３００ａからの主信号が無い状態でも、異常状態の検出を可能とする。
【０１２７】
また、ＬＤ制御部３１４は、ＰＤ３０８から電気信号を取得した場合に、光信号およびＡＳＥの入力が有ると判定し、ＬＤ３１３をシャットダウンするので、消費電力を最小限に抑えることが出来る。
【０１２８】
なお、ＬＤ３１３は、分散補償デバイス３１１が平坦なロス特性を有する場合に、光増幅装置３００ａから出力される光信号の帯域内に含まれるようにＬＤ光の波長を調整し、出力する。
【０１２９】
また、ＬＤ３１３は、分散補償デバイス３１１が周期的なロス特性を有する場合に、かかる分散補償デバイス３１１を透過するようにＬＤ光の波長を調整する。ＬＤ光の波長を調整しないで、ＬＤ光を分散補償デバイス３１１に入力すると、正常時であっても、デバイス３１１ｂで大きなロスが発生し、第２のモニタ値が第２の規定値以上とならない可能性があるためである。
【実施例４】
【０１３０】
次に、本実施例４にかかる光通信システムの構成について説明する。図１１は、本実施例４にかかる光通信システムの構成を示す図である。図１１に示すように、この光通信システムは、光増幅装置４００ａと４００ｂを有する。光増幅装置４００ａと光増幅装置４００ｂの構成は同じであるため、以下では、光増幅装置４００ｂの構成について説明する。
【０１３１】
光増幅装置４００ｂは、光増幅装置４００ａからの光信号が入力されていない場合に、ＬＤ４１３からの光信号を、To_DCFポート側と、From_DCFポート側から入力して異常判定を行う。また、光増幅装置４００ｂは、光増幅装置４００ａからの光信号が入力されている場合に、ＬＤ４１３から出力される光信号の内、To_DCFポート側に出力される光信号を光ＳＷ４１４にてブロックし、光増幅装置４００ａからの光信号をTo_DCFポート側から出力して、異常判定を行う。
【０１３２】
このように、光増幅装置４００ｂは、光増幅装置４００ａから光信号が入力されているか否かに基づいて、光ＳＷ４１４がＬＤ４１３からのＬＤ光をブロックするので、光増幅装置４００ａから光信号が入力されているか否かによらず、異常状態を判定することが出来る。
【０１３３】
光増幅装置４００ｂは、ＣＰＬ４０１〜４０６、ＶＯＡ４０７、ＰＤ４０８〜４１０、分散補償デバイス４１１、光増幅モジュール４１２、ＬＤ（レーザーダイオード）４１３を有する。また、光増幅装置４００ｂは、光ＳＷ４１４、光ＳＷ制御部４１５、異常判定部４１６を有する。
【０１３４】
ＣＰＬ４０１は、光増幅装置４００ａから出力された光信号を分割し、分割した光信号のうち、一方の光信号をＰＤ４０８に出力し、もう一方の光信号をＶＯＡ４０７に出力する。ＣＰＬ４０２は、ＶＯＡ４０７から出力された光信号を分割し、分割した光信号のうち、一方の光信号をＰＤ４０９に出力し、もう一方の光信号をＣＰＬ４０３に出力する。
【０１３５】
ＣＰＬ４０３は、ＣＰＬ４０２から出力された光信号またはＣＰＬ４０６から出力された光信号（ＬＤ光）を、ＣＰＬ４０４に出力する。ＣＰＬ４０４は、ＣＰＬ４０３から出力された光信号を分散補償デバイス４１１に出力する。また、ＣＰＬ４０４は、分散補償デバイス４１１から出力された光信号をＰＤ４１０に出力する。
【０１３６】
ＣＰＬ４０５は、分散補償デバイス４１１から出力された光信号を、光増幅モジュール４１２に出力する。また、ＣＰＬ４０５は、ＣＰＬ４０６から出力された光信号を、分散補償デバイス４１１に出力する。ＣＰＬ４０６は、ＬＤ４１３から出力された光信号（ＬＤ光）を分割し、一方の光信号をＣＰＬ４０３に出力し、もう一方の光信号をＣＰＬ４０５に出力する。
【０１３７】
ＶＯＡ４０７は、光信号を減衰させる装置である。ＶＯＡ４０７は、ＣＰＬ４０１から光信号を取得し、取得した光信号を減衰させた後に、減衰させた光信号をＣＰＬ４０２に出力する。また、ＶＯＡ４０７は、分散補償デバイス４１１等に対する異常が発生した場合に、減衰量を増加することで、分散補償デバイス４１１に高出力の光信号が入力されることを防止する。
【０１３８】
ＰＤ４０８は、ＣＰＬ４０１から光信号を取得し、取得した光信号を電気信号に変換する装置である。ＰＤ４０８は、電気信号をモニタおよび光ＳＷ制御部４１５に出力する。ＰＤ４０９は、ＣＰＬ４０２から光信号を取得し、取得した光信号を電気信号に変換する装置である。ＰＤ４０９は、電気信号をモニタに出力する。
【０１３９】
ＰＤ４１０は、ＣＰＬ４０４から光信号を取得し、取得した光信号を電気信号に変換する装置である。ＰＤ４１０は、電気信号を異常判定部４１６に出力する。
【０１４０】
分散補償デバイス４１１は、ＣＰＬ４０４から光信号を取得した場合に、波長ごとに適切な遅延を与えることで、光信号に存在する分散を補償する装置である。分散補償デバイス４１１は、サーキュレータ４１１ａと分散補償を実行するデバイス４１１ｂを有する。
【０１４１】
分散補償デバイス４１１は、To_DCFポートと、From_DCFポートに接続する。分散補償デバイス４１１のポート（１）とTo_DCFポートを接続し、分散補償デバイス４１１のポート（２）とFrom_DCFポートを接続する方式が、正常な接続である。
【０１４２】
分散補償デバイス４１１のポート（１）に入力した光信号は、サーキュレータ４１１ａを介して、デバイス４１１ｂに入力する。そして、デバイス４１１ｂにより分散補償された光信号は、サーキュレータ４１１ａを介して、ポート（２）から出力する。一方、分散補償デバイス４１１のポート（２）に入力した光信号は、デバイス４１１ｂを経由することなく、ポート（１）から出力する。
【０１４３】
光増幅モジュール４１２は、ＣＰＬ４０５から光信号を取得し、取得した光信号を増幅し、増幅した光信号を出力する装置である。また、光増幅モジュール４１２は、内部にＰＤを有する。光増幅モジュール４１２は、内部のＰＤにより光信号を電気信号に変換し、変換した電気信号を異常判定部４１６に出力する。
【０１４４】
ＬＤ４１３は、各ＣＰＬを介して、To_DCFポート、From_DCFポートから分散補償デバイス４１１に光信号（ＬＤ光）を出力する装置である。光ＳＷ４１４は、光ＳＷ制御部４１５からの制御命令を基にして、ＬＤ４１３からの光信号の通過をブロックするスイッチである。
【０１４５】
光ＳＷ制御部４１５は、ＰＤ４０８からの電気信号に基づいて、光ＳＷを制御する処理部である。光ＳＷ制御部４１５は、ＰＤ４０８から電気信号を取得した場合には、光信号の通過をブロックする旨の制御命令を光ＳＷ４１４に出力する。一方、光ＳＷ制御部４１５は、ＰＤ４０８から電気信号を取得していない場合に、光信号の通過を許可する旨の制御命令を光ＳＷ４１４に出力する。
【０１４６】
異常判定部４１６は、分散補償デバイス４１１に関する異常を判定する処理部である。異常判定部４１６は、第１の規定値と第２の規定値を有し、ＰＤ４１０から取得する電気信号の値と第１の規定値、光増幅モジュール４１２のＰＤから取得する電気信号の値と第２の規定値をそれぞれ比較し、比較結果に基づいて異常を判定する。
【０１４７】
以下の説明において、ＰＤ４１０から取得する電気信号の値を第１のモニタ値、光増幅モジュール４１２のＰＤから取得する電気信号の値を第２のモニタ値と表記する。また、第１の閾値は、分散補償デバイス４１１のデバイス４１１ｂを介さず、ポート（２）からポート（１）を通過する光信号のロスを反映して設定される値である。第２の閾値は、デバイス４１１ｂを介して、ポート（１）からポート（２）を通過する光信号のロスを反映して設定される値である。
【０１４８】
異常判定部４１６は、第１のモニタ値が第１の規定値以上（第１のモニタ値が正常値）となり、かつ、第２のモニタ値が第２の閾値以上（第２のモニタ値が正常値）となる場合には、分散補償デバイス４１１は正常状態であると判定し、判定結果をモニタ等に出力する。
【０１４９】
異常判定部４１６は、第１のモニタ値が第１の閾値以上（第１のモニタ値が正常値）となり、かつ、第２のモニタ値が第２の閾値未満（第２のモニタ値が異常値）となる場合には、デバイス４１１ｂが故障したと判定し、判定結果をモニタ等に出力する。第１のモニタ値が第１の規定値以上の場合は、ポート接続異常は存在せず、正常に接続されている。そして、ポート接続異常が存在しないにも関わらず、第２のモニタ値が第２の閾値未満の場合には、デバイス４１１ｂに何らかの異常が発生し、第２のモニタ値にロスが発生したものと判定する。
【０１５０】
異常判定部４１６は、第１のモニタ値が第１の規定値未満（第１のモニタ値が異常値）となり、かつ、第２のモニタ値が第２の規定値未満（第２のモニタ値が異常値）の場合には、To_DCFポートまたはFrom_DCFポートにポート接続異常が発生したと判定し、判定結果をモニタ等に出力する。ポート接続異常の発生時は、ＣＰＬ４０４から分散補償デバイス４１１に入力する信号光の経路と、ＣＰＬ４０５から分散補デバイス４１１に入力する信号光の経路が共に断状態となる。したがって、第１，２のモニタ値は無入力レベルとなる。
【０１５１】
異常判定部４１６は、第１のモニタ値が第１の規定値未満（第１のモニタ値が異常値）となり、かつ、第２のモニタ値が第２の規定値以上（第２のモニタ値が正常値）となる場合には、分散補償値４１１が誤接続状態であると判定し、判定結果をモニタ等に出力する。
【０１５２】
異常判定部４１５は、デバイス４１１ｂの故障、ポート接続異常、誤接続の何れかを検出した場合には、ＶＯＡ４０７を制御して、ＶＯＡ４０７のロスを増加させる。ＶＯＡ４０７のロスを増加させることで、To_DCFポートから高出力の光信号が分散補償デバイス４１１に出力されることを防止する。
【０１５３】
次に、本実施例４にかかる光増幅装置４００ｂの処理手順について説明する。図１２は、本実施例４にかかる光増幅装置４００ｂの処理手順を示すフローチャートである。図１２に示すように、光増幅装置４００ｂは、光ＳＷ制御部４１５が、光増幅装置４００ａからの光信号が入力されているか否かを判定する（ステップＳ４０１）。
【０１５４】
光ＳＷ制御部４１５は、光信号が入力されていない場合に（ステップＳ４０２，Ｎｏ）、光ＳＷ４１４をスルー設定し（ステップＳ４０３）、ステップＳ４０５に移行する。一方、光ＳＷ制御部４１５は、光信号が入力されている場合に（ステップＳ４０２，Ｙｅｓ）、光ＳＷ４１４をブロック設定する（ステップＳ４０４）。
【０１５５】
続いて、異常判定部４１６は、光増幅モジュール４１２から第２のモニタ値を検出し（ステップＳ４０５）、第２のモニタ値が第２の規定値以上か否かを判定する（ステップＳ４０６）。
【０１５６】
異常判定部４１６は、第２のモニタ値が第２の規定値以上の場合に（ステップＳ４０７，Ｙｅｓ）、ＰＤ４１０から第１のモニタ値を検出し（ステップＳ４０８）、第１のモニタ値が第１の規定値以上か否かを判定する（ステップＳ４０９）。
【０１５７】
異常判定部４１６は、第１のモニタ値が第１の規定値以上の場合に（ステップＳ４１０，Ｙｅｓ）、正常状態であると判定する（ステップＳ４１１）。異常判定部４１６は、第１のモニタ値が第１の閾値未満の場合に（ステップＳ４１０，Ｎｏ）、ポートが誤接続状態であると判定する（ステップＳ４１２）。
【０１５８】
ところで、ステップＳ４０７において、第２のモニタ値が第２の規定値未満の場合に（ステップＳ４０７，Ｎｏ）、異常判定部４１６は、ＰＤ４１０から第１のモニタ値を検出し（ステップＳ４１３）、第１のモニタ値が第１の規定値以上か否かを判定する（ステップＳ４１４）。
【０１５９】
異常判定部４１６は、第１のモニタ値が第１の規定値以上の場合に（ステップＳ４１５，Ｙｅｓ）、デバイス異常状態であると判定する（ステップＳ４１６）。異常判定部４１６は、第１のモニタ値が第１の規定値未満の場合に（ステップＳ４１５，Ｎｏ）、ポート抜け状態であると判定する（ステップＳ４１７）。
【０１６０】
このように、本実施例４にかかる光増幅装置４００ｂは、光増幅装置４００ａから光信号が入力されているか否かに基づいて、光ＳＷ制御部４１５が光ＳＷ４１４を制御して、ＬＤ４１３からのＬＤ光をブロックするので、光増幅装置４００ａから光信号が入力されているか否かによらず、異常状態を正確に判定することが出来る。
【０１６１】
なお、ＬＤ４１３は、分散補償デバイス４１１が平坦なロス特性を有する場合に、光増幅装置４００ａから出力される光信号の帯域内に含まれるようにＬＤ光の波長を調整し、出力する。
【０１６２】
また、ＬＤ４１３は、分散補償デバイス４１１が周期的なロス特性を有する場合に、かかる分散補償デバイス４１１を透過するようにＬＤ光の波長を調整する。ＬＤ光の波長を調整しないで、ＬＤ光を分散補償デバイス４１１に入力すると、正常時であっても、デバイス４１１ｂで大きなロスが発生し、第２のモニタ値が第２の規定値以上とならない可能性があるためである。
【実施例５】
【０１６３】
次に、本実施例５にかかる光通信システムの構成について説明する。図１３は、本実施例５にかかる光通信システムの構成を示す図である。図１３に示すように、この光通信システムは、光増幅装置５００ａと光増幅装置５００ｂを有する。光増幅装置５００ａと光増幅装置５００ｂの構成は同じであるため、以下では、光増幅装置５００ｂの構成について説明する。
【０１６４】
光増幅装置５００ｂは、光増幅装置５００ａから光信号が入力されない場合に、ＬＤの代わりに、光増幅モジュール５１３を強制発光させることで信号光を分散補償デバイス５１２に出力し、異常判定を実行する。
【０１６５】
図１３に示すように、光増幅装置５００ｂは、ＣＰＬ５０１〜５０７、ＶＯＡ５０８、ＰＤ５０９〜５１１、分散補償デバイス５１２、光増幅モジュール５１３、光ＳＷ５１４、光ＳＷ制御部５１５、異常判定部５１６を有する。
【０１６６】
ＣＰＬ５０１は、光増幅装置５００ａから出力された光信号を分割し、分割した光信号のうち、一方の光信号をＰＤ５０９に出力し、もう一方の光信号をＶＯＡ５０８に出力する。ＣＰＬ５０２は、ＶＯＡ５０８から出力された光信号を分割し、分割した光信号のうち、一方の光信号をＰＤ５１０に出力し、もう一方の光信号をＣＰＬ５０３に出力する。
【０１６７】
ＣＰＬ５０３は、ＣＰＬ５０２から出力された光信号またはＣＰＬ５０６から出力された光信号を、ＣＰＬ５０４に出力する。ＣＰＬ５０４は、ＣＰＬ５０３から出力された光信号を分散補償デバイス５１２に出力する。また、ＣＰＬ５０４は、分散補償デバイス５１２から出力された光信号をＰＤ５１１に出力する。
【０１６８】
ＣＰＬ５０５は、分散補償デバイス５１２から出力された光信号を、光増幅モジュール５１３に出力する。また、ＣＰＬ５０５は、ＣＰＬ５０６から出力された光信号を、From_DCFポートに出力する。
【０１６９】
ＣＰＬ５０６は、ＣＰＬ５０７から光信号を取得した場合に、光信号を分割し、一方の光信号をＣＰＬ５０５に出力し、もう一方の光信号を、光ＳＷ５１４を介してＣＰＬ５０３に出力する。ＣＰＬ５０７は、光増幅モジュール５１３から光信号を取得した場合に、光信号を分割し、一方の光信号をＣＰＬ５０６に出力し、もう一方の光信号を外部に出力する。
【０１７０】
ＶＯＡ５０８は、光信号を減衰させる装置である。ＶＯＡ５０８は、ＣＰＬ５０１から光信号を取得し、取得した光信号を減衰させた後に、減衰させた光信号をＣＰＬ５０２に出力する。また、ＶＯＡ５０８は、分散補償デバイス５１２等に対する異常が発生した場合に、減衰量を増加することで、分散補償デバイス５１２に高出力の光信号が入力されることを防止する。
【０１７１】
ＰＤ５０９は、ＣＰＬ５０１から光信号を取得し、取得した光信号を電気信号に変換する装置である。ＰＤ５０９は、電気信号をモニタおよび光ＳＷ制御部５１５に出力する。ＰＤ５１０は、ＣＰＬ５０２から光信号を取得し、取得した光信号を電気信号に変換する装置である。ＰＤ５１０は、電気信号をモニタに出力する。
【０１７２】
ＰＤ５１１は、ＣＰＬ５０４から光信号を取得し、取得した光信号を電気信号に変換する装置である。ＰＤ５１１は、電気信号を異常判定部５１６に出力する。
【０１７３】
分散補償デバイス５１２は、ＣＰＬ５０４から光信号を取得した場合に、波長ごとに適切な遅延を与えることで、光信号に存在する分散を補償する装置である。分散補償デバイス５１２は、サーキュレータ５１２ａと分散補償を実行するデバイス５１２ｂを有する。
【０１７４】
分散補償デバイス５１２は、To_DCFポートと、From_DCFポートに接続する。分散補償デバイス５１２のポート（１）とTo_DCFポートを接続し、分散補償デバイス５１２のポート（２）とFrom_DCFポートを接続する方式が、正常な接続である。
【０１７５】
分散補償デバイス５１２のポート（１）に入力した光信号は、サーキュレータ５１２ａを介して、デバイス５１２ｂに入力する。そして、デバイス５１２ｂにより分散補償された光信号は、サーキュレータ５１２ａを介して、ポート（２）から出力する。一方、分散補償デバイス５１２のポート（２）に入力した光信号は、デバイス５１２ｂを経由することなく、ポート（１）から出力する。
【０１７６】
光増幅モジュール５１３は、ＣＰＬ５０５から光信号を取得し、取得した光信号を増幅し、増幅した光信号を出力する装置である。光増幅モジュール５１３は、内部にＰＤを有する。光増幅モジュール５１３は、内部のＰＤにより光信号を電気信号に変換し、変換した電気信号を異常判定部５１６に出力する。また、光増幅モジュール５１３は、強制発光の制御命令を取得した場合に、光信号をＣＰＬ５０７に出力する。
【０１７７】
光ＳＷ５１４は、光ＳＷ制御部５１５からの制御命令を基にして、ＣＰＬ５０６からの光信号の通過をブロックするスイッチである。
【０１７８】
光ＳＷ制御部５１５は、ＰＤ５０９からの電気信号に基づいて、光ＳＷ５１４を制御する処理部である。光ＳＷ制御部５１５は、ＰＤ５０９から電気信号を取得した場合には、光信号の通過をブロックする旨の制御命令を光ＳＷ５１４に出力する。一方、光ＳＷ制御部５１５は、ＰＤ５０９から電気信号を取得していない場合に、光信号の通過を許可する旨の制御命令を光ＳＷ５１４に出力する。
【０１７９】
異常判定部５１６は、分散補償デバイス５１２に関する異常を判定する処理部である。異常判定部５１６は、第１の規定値と第２の規定値を有し、ＰＤ５１１から取得する電気信号の値と第１の規定値、光増幅モジュール５１３のＰＤから取得する電気信号の値と第２の規定値をそれぞれ比較し、比較結果に基づいて異常を判定する。
【０１８０】
以下の説明において、ＰＤ５１１から取得する電気信号の値を第１のモニタ値、光増幅モジュール５１３のＰＤから取得する電気信号の値を第２のモニタ値と表記する。また、第１の閾値は、分散補償デバイス５１２のデバイス５１２ｂを介さず、ポート（２）からポート（１）を通過する光信号のロスを反映して設定される値である。第２の閾値は、デバイス５１２ｂを介して、ポート（１）からポート（２）を通過する光信号のロスを反映して設定される値である。
【０１８１】
異常判定部５１６は、第１のモニタ値が第１の規定値以上（第１のモニタ値が正常値）となり、かつ、第２のモニタ値が第２の閾値以上（第２のモニタ値が正常値）となる場合には、分散補償デバイス５１２は正常状態であると判定し、判定結果をモニタ等に出力する。
【０１８２】
異常判定部５１６は、第１のモニタ値が第１の閾値以上（第１のモニタ値が正常値）となり、かつ、第２のモニタ値が第２の閾値未満（第２のモニタ値が異常値）となる場合には、デバイス５１２ｂが故障したと判定し、判定結果をモニタ等に出力する。第１のモニタ値が第１の規定値以上の場合は、ポート接続異常は存在せず、正常に接続されている。そして、ポート接続異常が存在しないにも関わらず、第２のモニタ値が第２の閾値未満の場合には、デバイス５１２ｂに何らかの異常が発生し、第２のモニタ値にロスが発生したものと判定する。
【０１８３】
異常判定部５１６は、第１のモニタ値が第１の規定値未満（第１のモニタ値が異常値）となり、かつ、第２のモニタ値が第２の規定値未満（第２のモニタ値が異常値）の場合には、To_DCFポートまたはFrom_DCFポートにポート接続異常が発生したと判定し、判定結果をモニタ等に出力する。ポート接続異常の発生時は、ＣＰＬ５０４から分散補償デバイス５１２に入力する信号光の経路と、ＣＰＬ５０５から分散補デバイス５１２に入力する信号光の経路が共に断状態となる。したがって、第１，２のモニタ値は無入力レベルとなる。
【０１８４】
異常判定部５１６は、第１のモニタ値が第１の規定値未満（第１のモニタ値が異常値）となり、かつ、第２のモニタ値が第２の規定値以上（第２のモニタ値が正常値）となる場合には、分散補償値５１２が誤接続状態であると判定し、判定結果をモニタ等に出力する。
【０１８５】
異常判定部５１６は、デバイス５１２ｂの故障、ポート接続異常、誤接続の何れかを検出した場合には、ＶＯＡ５０８を制御して、ＶＯＡ５０８のロスを増加させる。ＶＯＡ５０８のロスを増加させることで、To_DCFポートから高出力の光信号が分散補償デバイス５１２に出力されることを防止する。
【０１８６】
次に、本実施例５にかかる光増幅装置５００ｂの処理手順について説明する。図１４は、本実施例５にかかる光増幅装置５００ｂの処理手順を示すフローチャートである。図１４に示すように、光増幅装置５００ｂは、光ＳＷ制御部５１５がＰＤ５０９からの電気信号に基づいて、光信号が入力されているか否かを判定する（ステップＳ５０１）。
【０１８７】
光ＳＷ制御部５１５は、光信号が入力されていない場合に（ステップＳ５０２，Ｎｏ）、光ＳＷ５１４をスルー設定し（ステップＳ５０３）、光増幅モジュール５１３を強制発光させ（ステップＳ５０４）、ステップＳ５０７に移行する。
【０１８８】
一方、光ＳＷ制御部５１５は、光信号が入力されている場合に（ステップＳ５０２，Ｙｅｓ）、光ＳＷ５１４をブロック設定し（ステップＳ５０５）、光増幅モジュールを通常運用させる（ステップＳ５０６）。
【０１８９】
続いて、異常判定部５１６は、光増幅モジュール５１３から第２のモニタ値を検出し（ステップＳ５０７）、第２のモニタ値が第２の規定値以上か否かを判定する（ステップＳ５０８）。異常判定部５１６は、第２のモニタ値が第２の規定値以上の場合に（ステップＳ５０９，Ｙｅｓ）、ＰＤ５１１から第１のモニタ値を検出する（ステップＳ５１０）。
【０１９０】
異常判定部５１６は、第１のモニタ値が第１の規定値以上か否かを判定する（ステップＳ５１１）。異常判定部５１６は、第１のモニタ値が第１の規定値以上の場合に（ステップＳ５１２，Ｙｅｓ）、正常状態であると判定する（ステップＳ５１３）。一方、異常判定部５１６は、第１のモニタ値が第１の規定値未満の場合に（ステップＳ５１２，Ｎｏ）、ポートが誤接続状態であると判定する（ステップＳ５１４）。
【０１９１】
ところで、ステップＳ５０９において、異常判定部５１６は、第２のモニタ値が第２の規定値未満の場合に（ステップＳ５０９，Ｎｏ）、ＰＤ５１１から第１のモニタ値を検出し（ステップＳ５１５）、第１のモニタ値が第１の規定値以上か否かを判定する（ステップＳ５１６）。
【０１９２】
異常判定部５１６は、第１のモニタ値が第１の規定値以上の場合に（ステップＳ５１７，Ｙｅｓ）、デバイス異常状態であると判定する（ステップＳ５１８）。一方、異常判定部５１６は、第１のモニタ値が第１の規定値未満の場合に（ステップＳ５１７，Ｎｏ）、ポート抜け状態であると判定する（ステップＳ５１９）。
【０１９３】
上述してきたように、本実施例５にかかる光増幅装置５００ｂは、光増幅装置５００ａから光信号が入力されない場合に、ＬＤの代わりに、光増幅モジュール５１３を強制発光させるので、光信号の入力の有無に関わらず、分散補償デバイス５１２の異常判定を正確に実行することが出来る。
【０１９４】
なお、本実施例１〜５では、第１のモニタ値と第１の規定値、第２のモニタ値と第２の規定値とを比較して、異常判定を行う場合を例にして説明したが、これに限定されるものではない。第１のモニタ値、第２のモニタ値が異常であるか否かを判定できれば、第１，２の規定値の代わりにどの様なパラメータを用いても構わない。
【０１９５】
ところで、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１９６】
なお、前述した光デバイスの一例として分散補償デバイス２６を例示しているが、例えば、マッハツェンダタイプの外部光変調器、光分岐装置、波長分波器、光アイソレータを含んで構成された光増幅器とゲインイコライザ、などを使用することが出来る。
【０１９７】
以上の各実施例を含む実施形態に関し、さらに以下の付記を開示する。
【０１９８】
（付記１）第１ないし第３のポートを有し、前記第１のポートから入力された光を前記第２のポートに出力し、前記第２のポートから入力された光を前記第３のポートに出力し、前記第３のポートから入力された光を前記第１のポートに出力する非相反デバイスと、
前記非相反デバイスの前記第２のポートに接続され、前記非相反デバイスの第２のポートから入力された光に所定の処理を与え、前記非相反デバイスの第２のポートに所定の処理を与えた光を出力する光デバイスと、
前記第１のポートから出力される光と、前記第３のポートから出力される光に基づいて、ポートの接続異常と前記光デバイスの異常を検出する異常検出部と
を有することを特徴とする光伝送装置。
【０１９９】
（付記２）外部の装置から光を取得し、取得した光を前記第１のポートまたは前記第３のポートに出力している間に、前記第１のポートと前記第３の接続ポートのうち、光が出力されていないポートに光を出力する光信号出力部を更に有することを特徴とする付記１に記載の光伝送装置。
【０２００】
（付記３）前記光信号出力部は、前記外部の装置から光信号を取得していない間に、前記第１のポートおよび前記第３のポートに光信号を出力することを特徴とする付記２に記載の光伝送装置。
【０２０１】
（付記４）外部の装置から光を取得し、取得した光を前記第１のポートまたは第３のポートに出力し、前記光信号出力部から出力される光の出力先を前記第１のポートおよび／または前記第３のポートに切り替える切替部を更に有することを特徴とする付記２に記載の光伝送装置。
【０２０２】
（付記５）外部の装置から光を取得したか否かに基づいて、前記第１のポートまたは前記第２のポートから出力する光を増幅する増幅部から光を発光させ、当該光を前記第１のポートおよび前記第３のポートに入力する制御部を更に有することを特徴とする付記１に記載の光伝送装置。
【０２０３】
（付記６）前記異常検出部の検出結果に基づいて、前記非相反デバイスに入力される光を減衰させる減衰部を更に有することを特徴とする付記１〜５のいずれか一つに記載の光伝送装置。
【０２０４】
（付記７）前記光信号出力部は、ポートの接続異常と前記光デバイスの異常を検出した場合に、光を出力することを特徴とする付記２、３または４に記載の光伝送装置。
【０２０５】
（付記８）第１ないし第３のポートを有し、前記第１のポートから入力された光を前記第２のポートに出力し、前記第２のポートから入力された光を前記第３のポートに出力し、前記第３のポートから入力された光を前記第１のポートに出力する非相反デバイスと、
前記非相反デバイスの前記第２のポートに接続され、前記非相反デバイスの第２のポートから入力された光に所定の処理を与え、前記非相反デバイスの第２のポートに所定の処理を与えた光を出力する光デバイスとを有する光伝送装置が、
前記第１のポートから出力される光と、前記第３のポートから出力される光を取得するステップと、
前記第１のポートから出力される光と、前記第３のポートから出力される光に基づいて、ポートの接続異常と前記光デバイスの異常を検出するステップと
を含んだことを特徴とする異常検出方法。
【０２０６】
（付記９）前記光伝送装置は光を出力する光信号出力部を有し、
外部の装置から光信号が、前記第１のポートまたは前記第３のポートに光を出力している間に、前記光信号出力部から、前記第１のポートと前記第３のポートのうち、前記光が出力されていない接続ポートに光を出力するステップを更に含んだことを特徴とする付記８に記載の異常検出方法。
【０２０７】
（付記１０）前記外部の装置が光信号を出力していない間に、前記光信号出力部から、前記第１のポートおよび前記第３のポートに光を出力するステップを更に含んだことを特徴とする付記９に記載の異常検出方法。
【符号の説明】
【０２０８】
１    伝送路
１０，２０，１００ａ，１００ｂ，２００ａ，２００ｂ，３００ａ，３００ｂ，４００ａ，４００ｂ，５００ａ，５００ｂ  光増幅装置
２１，２２，１０１，１０２，１０３，１０４，１０５，２０１，２０２，２０３，２０４，３０１，３０２，３０３，３０４，３０５，３０６，４０１，４０２，４０３，４０４，４０５，４０６，５０１，５０２，５０３，５０４，５０５，５０６，５０７    ＣＰＬ
２３，１０６，２０５，３０７，４０７，５０８    ＶＯＡ
２４，２５，１０７，１０８，１０９，２０６，２０７，２０８，３０８，３０９，３１０，４０８，４０９，４１０，５０９，５１０，５１１    ＰＤ
２６，１１０，２０９，３１１，４１１，５１２    分散補償デバイス
１１０ａ，２０９ａ，３１１ａ，４１１ａ，５１２ａ  サーキュレータ
１１０ｂ，２０９ｂ，３１１ｂ，４１１ｂ，５１２ｂ  デバイス
２７，１１１，２１２，３１２，４１２，５１３    光増幅モジュール
１１２，２１２，３１５，４１６，５１６    異常判定部
３１３    ＬＤ
３１４    ＬＤ制御部
４１４，５１４    光ＳＷ
４１５，５１５    光ＳＷ制御部
【図１】
0005423170.tif 000002
【図２】
0005423170.tif 000003
【図３】
0005423170.tif 000004
【図４】
0005423170.tif 000005
【図５】
0005423170.tif 000006
【図６】
0005423170.tif 000007
【図７】
0005423170.tif 000008
【図８】
0005423170.tif 000009
【図９】
0005423170.tif 000010
【図１０】
0005423170.tif 000011
【図１１】
0005423170.tif 000012
【図１２】
0005423170.tif 000013
【図１３】
0005423170.tif 000014
【図１４】
0005423170.tif 000015
【図１５】
0005423170.tif 000016
【図１６】
0005423170.tif 000017
【図１７】
0005423170.tif 000018